(57)【要約】【課題】  本発明は、先行歪ませ器、先行歪ませ方法及び先行歪ませシステムに関する。【解決手段】  入力信号の係数値を決定する係数値決定部；前記入力信号の係数値に従って所定の基本ルックアップ・テーブルを探索し、基本ルックアップ・テーブル値を得る基本探索部；前記入力信号の係数値に従って所定のオフセット・ルックアップ・テーブルを探索し、オフセット・ルックアップ・テーブル値を得るオフセット探索部；前記入力信号の係数値に従って補間係数を生成する補間係数生成部；前記オフセット・ルックアップ・テーブル値を前記補間係数で乗算する乗算部；及び該乗算部により得られた結果を前記基本ルックアップ・テーブル値に加算し、先行歪ませ値を得る加算部；を有する先行歪ませ器。【選択図】  図２
2010268468.tif 000002
【特許請求の範囲】
【請求項１】
入力信号の係数値を決定する係数値決定部；
前記入力信号の係数値に従って所定の基本ルックアップ・テーブルを探索し、基本ルックアップ・テーブル値を得る基本探索部；
前記入力信号の係数値に従って所定のオフセット・ルックアップ・テーブルを探索し、オフセット・ルックアップ・テーブル値を得るオフセット探索部；
前記入力信号の係数値に従って補間係数を生成する補間係数生成部；
前記オフセット・ルックアップ・テーブル値を前記補間係数で乗算する乗算部；及び
該乗算部により得られた結果を前記基本ルックアップ・テーブル値に加算し、先行歪ませ値を得る加算部；
を有する先行歪ませ器。
【請求項２】
前記基本ルックアップ・テーブルは、基本振幅ルックアップ・テーブルであり、
前記基本ルックアップ・テーブル値は、基本振幅ルックアップ・テーブル値であり、
前記オフセット・ルックアップ・テーブルは、オフセット振幅ルックアップ・テーブルであり、
前記オフセット・ルックアップ・テーブル値は、オフセット振幅ルックアップ・テーブル値であり、
前記補間係数は、振幅補間係数であり、
前記先行歪ませ値は、振幅先行歪ませ値である、
ことを特徴とする請求項１記載の先行歪ませ器。
【請求項３】
前記基本ルックアップ・テーブルは、基本位相ルックアップ・テーブルであり、
前記基本ルックアップ・テーブル値は、基本位相ルックアップ・テーブル値であり、
前記オフセット・ルックアップ・テーブルは、オフセット位相ルックアップ・テーブルであり、
前記オフセット・ルックアップ・テーブル値は、オフセット位相ルックアップ・テーブル値であり、
前記補間係数は、位相補間係数であり、
前記先行歪ませ値は、位相先行歪ませ値である、
ことを特徴とする請求項１記載の先行歪ませ器。
【請求項４】
前記基本ルックアップ・テーブルは、基本位相ルックアップ・テーブル及び基本振幅ルックアップ・テーブルを有し、
前記基本ルックアップ・テーブル値は、基本位相ルックアップ・テーブル値及び基本振幅ルックアップ・テーブル値を有し、
前記オフセット・ルックアップ・テーブルは、オフセット位相ルックアップ・テーブル及びオフセット振幅ルックアップ・テーブルを有し、
前記オフセット・ルックアップ・テーブル値は、オフセット位相ルックアップ・テーブル値及びオフセット振幅ルックアップ・テーブル値を有し、
前記補間係数は、位相補間係数及び振幅補間係数を有し、
前記乗算部は、前記オフセット位相ルックアップ・テーブル値を前記位相補間係数で乗算し、前記オフセット振幅ルックアップ・テーブル値を前記振幅補間係数で乗算し、
前記加算部は、前記オフセット位相ルックアップ・テーブル値と前記乗算部により得られた前記位相補間係数との積を、前記基本位相ルックアップ・テーブル値に加算し、位相先行歪ませ値を得て、前記オフセット振幅ルックアップ・テーブル値と前記乗算部により得られた前記振幅補間係数との積を、前記基本振幅ルックアップ・テーブル値に加算し、振幅先行歪ませ値を得る、
ことを特徴とする請求項１記載の先行歪ませ器。
【請求項５】
前記補間係数生成部は：
ルックアップ・テーブル指標値を得るルックアップ・テーブル指標値取得部；
必須補間係数及び該必須補間係数に対応する必須ルックアップ・テーブル指標値を格納する先行歪ませパラメータ格納部；及び
前記ルックアップ・テーブル指標値、前記必須ルックアップ・テーブル指標値、及び前記必須補間係数に従って、補間係数値を得る補間係数取得部；
を有する、
ことを特徴とする請求項１記載の先行歪ませ器。
【請求項６】
前記補間係数取得部は、区分的に線形な補間又はラグランジュ補間を用いて、前記ルックアップ・テーブル指標値、前記必須ルックアップ・テーブル指標値及び前記必須補間係数に従って補間係数値を得る、
ことを特徴とする請求項５記載の先行歪ませ器。
【請求項７】
前記必須ルックアップ・テーブル指標値及び前記必須補間係数は、当該先行歪ませ器のパラメータである、
ことを特徴とする請求項５又は６記載の先行歪ませ器。
【請求項８】
請求項１乃至７の何れか一項記載の先行歪ませ器を有する、先行歪ませシステム。
【請求項９】
電力増幅器；
帯域外電力計算部；及び
先行歪ませ器パラメータ更新部；
を有し、
前記電力増幅器は、前記先行歪ませ器により先行歪ませを実行された信号を増幅し、
前記帯域外電力計算部は、前記電力増幅器から帰還された前記の増幅された信号の帯域外電力を決定し、
前記先行歪ませ器パラメータ更新部は、前記帯域外電力に従って前記先行歪ませ器のパラメータを更新する、
ことを特徴とする請求項８記載の先行歪ませシステム。
【請求項１０】
入力信号の係数を決定する段階；
前記入力信号の係数値に従って所定の基本ルックアップ・テーブルを探索し、基本ルックアップ・テーブル値を得る段階；
前記入力信号の係数値に従って所定のオフセット・ルックアップ・テーブルを探索し、オフセット・ルックアップ・テーブル値を得る段階；
前記入力信号の係数値に従って補間係数を生成する段階；
前記オフセット・ルックアップ・テーブル値を前記補間係数で乗算する段階；及び
該乗算する段階により得られた結果を前記基本ルックアップ・テーブル値に加算し、先行歪ませ値を得る段階；
を有する先行歪ませ方法。
【発明の詳細な説明】
【技術分野】
【０００１】
本発明は、電力増幅器に関連し、より詳細には、電力増幅器の非線形補正に関連する。
【背景技術】
【０００２】
通信システムの発展に伴い、高スペクトル効率を有する種々の変調モードが広範な用途に適用されてきた。これら変調モードの変調信号は変化するエンベロープを有するので、送信機内部の電力増幅器の線形性に非常に大きな負担を掛けてしまう。結果として、電力増幅器の線形化方法は不可欠な技術となる。実装の簡便さ、柔軟さ及び低価格のため、デジタル・ベースバンド先行歪ませ（プレディストーション）技術は、電力増幅器の効率的な線形化方法になっている。
【０００３】
目標を最適化するような（電力の増幅された出力信号の帯域外電力及び帯域内電力と帯域外電力との比のような）スカラ情報を用いる先行歪ませ方法は、帰還ループの遅延及びＩ／Ｏインピーダンス等のような要因の影響を回避しうる。これにより、処理が更に簡単化且つ更に効率化される。
【０００４】
図１は、従来の先行歪ませ方法の原理を説明するブロック図である。図１に示すように、情報源１０１からのベースバンド情報源の情報がルックアップ・テーブル先行歪ませ器１０２を通過した後、振幅先行歪ませ値及び位相先行歪ませ値が得られる。乗算器１０３はベースバンド情報源の情報を先行歪ませ値で乗算し、先行歪ませ信号を得る。この信号はデジタル−アナログ変換器１０４によりアナログ信号に変換される。アナログ信号は、アップコンバータ１０５によりＲＦ信号にアップコンバートされ、電力増幅器（ＰＡとも表される）１０６に入力される。電力増幅器１０６により増幅された信号は、アンテナを介して送信される。一方で、電力増幅器から出力された信号の一部は、ダウンコンバータ１０７によりダウンコンバートされ、次にアナログ−デジタル変換器１０８へ戻される。これにより、信号はサンプリングされ、電力増幅器から出力された帰還デジタル・ベースバンド信号を得る。ベースバンド信号は、デジタル信号処理技術を用いて帯域外電力計算モジュール１０９で分析され、それによりデジタル・ベースバンド信号の帯域外電力値を得る。次に、モジュール１１０で、帯域外電力値は、目的関数として機能し、ルックアップ・テーブル先行歪ませ器１０２のパラメータを最適化する。先行歪ませ器のパラメータは、最適化アルゴリズムを用いて更新され、適応型先行歪ませ処理を実現する。
【０００５】
このようなアルゴリズムの基本的な問題の１つは、ルックアップ・テーブル先行歪ませ器を実現するため及びルックアップ・テーブル先行歪ませ器で用いられる先行歪ませパラメータの更新に、どの種類の構造及びアルゴリズムが用いられるべきかという問題である。
【０００６】
従来の技術では、種々の条件下で電力増幅特性を測定することにより、先行歪ませパラメータのセットが計算され、次に該セットは先行歪ませ器に格納され、対応する先行歪ませパラメータが現在の動作状態に従って選択される。しかしながら、これらの方法は、柔軟性に欠け、大容量の記憶容量及び試験処理を必要とする。特許文献１は、一方は高温の条件下の及び他方は低温の条件下の２つのルックアップ・テーブルを予め格納することを記載している。補間係数は、帰還される温度情報に従って適応して制御される。また、補間は、現在の先行歪ませテーブルを得るために２つのルックアップ・テーブルの間で実行される。この方法は、先行歪ませ器のパラメータを［０，１］の範囲内にする。これはハードウェアの実装を大いに容易にする。更に、適応型更新処理における先行歪ませテーブルは、高温ルックアップ・テーブルと低温ルックアップ・テーブルとの間に常に制限され、如何なる逸脱の減少も生じることなく、性能が安定する。しかしながら、この方法は、電力増幅器の熱モデルに補間係数を生成することを要求する。このような熱モデルを得ることは実際には困難である。更に、同一の電力増幅器の温度下で、ルックアップ・テーブルの各指標値における補間係数は同一であり、補間を通じて得られた先行歪ませテーブルは自由度が比較的少なく柔軟性に欠ける。
【先行技術文献】
【特許文献】
【０００７】
【特許文献１】米国特許第６７３１１６８号明細書
【非特許文献】
【０００８】
【非特許文献１】K.J.Muhonen、M.Kavehrad、R.Krishnamoorthy、「Look-up  table  techniques  for  adaptive  digital  predistortion：a  development  and  comparison」、IEEETrans、Vehicular  Technology、Vol.４９、No.５、Sep  ２０００、pp１９９５-２００２
【発明の概要】
【発明が解決しようとする課題】
【０００９】
本発明は、従来技術に存在する問題点に鑑み、従来技術の欠点を克服するため及び少なくとも１つの有利な選択を提供するために、提案される。
【課題を解決するための手段】
【００１０】
上述の目的を達成するために、本出願は以下の態様を提供する。
【００１１】
［第１の態様］入力信号の係数値を決定する係数値決定部；前記入力信号の係数値に従って所定の基本ルックアップ・テーブルを探索し、基本ルックアップ・テーブル値を得る基本探索部；前記入力信号の係数値に従って所定のオフセット・ルックアップ・テーブルを探索し、オフセット・ルックアップ・テーブル値を得るオフセット探索部；前記入力信号の係数値に従って補間係数を生成する補間係数生成部；前記オフセット・ルックアップ・テーブル値を前記補間係数で乗算する乗算部；及び該乗算部により得られた結果を前記基本ルックアップ・テーブル値に加算し、先行歪ませ値を得る加算部；を有する先行歪ませ器。
【００１２】
［第２の態様］前記基本ルックアップ・テーブルは、基本振幅ルックアップ・テーブルであり、前記基本ルックアップ・テーブル値は、基本振幅ルックアップ・テーブル値であり、前記オフセット・ルックアップ・テーブルは、オフセット振幅ルックアップ・テーブルであり、前記オフセット・ルックアップ・テーブル値は、オフセット振幅ルックアップ・テーブル値であり、前記補間係数は、振幅補間係数であり、前記先行歪ませ値は、振幅先行歪ませ値である、ことを特徴とする第１の態様に記載の先行歪ませ器。
【００１３】
［第３の態様］前記基本ルックアップ・テーブルは、基本位相ルックアップ・テーブルであり、前記基本ルックアップ・テーブル値は、基本位相ルックアップ・テーブル値であり、前記オフセット・ルックアップ・テーブルは、オフセット位相ルックアップ・テーブルであり、前記オフセット・ルックアップ・テーブル値は、オフセット位相ルックアップ・テーブル値であり、前記補間係数は、位相補間係数であり、前記先行歪ませ値は、位相先行歪ませ値である、ことを特徴とする第１の態様に記載の先行歪ませ器。
【００１４】
［第４の態様］前記基本ルックアップ・テーブルは、基本位相ルックアップ・テーブル及び基本振幅ルックアップ・テーブルを有し、前記基本ルックアップ・テーブル値は、基本位相ルックアップ・テーブル値及び基本振幅ルックアップ・テーブル値を有し、前記オフセット・ルックアップ・テーブルは、オフセット位相ルックアップ・テーブル及びオフセット振幅ルックアップ・テーブルを有し、前記オフセット・ルックアップ・テーブル値は、オフセット位相ルックアップ・テーブル値及びオフセット振幅ルックアップ・テーブル値を有し、前記補間係数は、位相補間係数及び振幅補間係数を有し、前記乗算部は、前記オフセット位相ルックアップ・テーブル値を前記位相補間係数で乗算し、前記オフセット振幅ルックアップ・テーブル値を前記振幅補間係数で乗算し、前記加算部は、前記オフセット位相ルックアップ・テーブル値と前記乗算部により得られた前記位相補間係数との積を、前記基本位相ルックアップ・テーブル値に加算し、位相先行歪ませ値を得て、前記オフセット振幅ルックアップ・テーブル値と前記乗算部により得られた前記振幅補間係数との積を、前記基本振幅ルックアップ・テーブル値に加算し、振幅先行歪ませ値を得る、ことを特徴とする第１の態様に記載の先行歪ませ器。
【００１５】
［第５の態様］前記補間係数生成部は：ルックアップ・テーブル指標値を得るルックアップ・テーブル指標値取得部；必須補間係数及び該必須補間係数に対応する必須ルックアップ・テーブル指標値を格納する先行歪ませパラメータ格納部；及び前記ルックアップ・テーブル指標値、前記必須ルックアップ・テーブル指標値、及び前記必須補間係数に従って、補間係数値を得る補間係数取得部；を有する、ことを特徴とする第１の態様に記載の先行歪ませ器。
【００１６】
［第６の態様］前記補間係数取得部は、区分的に線形な補間又はラグランジュ補間を用いて、前記ルックアップ・テーブル指標値、前記必須ルックアップ・テーブル指標値及び前記必須補間係数に従って補間係数値を得る、ことを特徴とする第５の態様に記載の先行歪ませ器。
【００１７】
［第７の態様］前記必須ルックアップ・テーブル指標値及び前記必須補間係数は、当該先行歪ませ器のパラメータである、ことを特徴とする第５又は６の態様に記載の先行歪ませ器。
【００１８】
［第８の態様］第１乃至７の態様の何れか一項記載の先行歪ませ器を有する、先行歪ませシステム。
【００１９】
［第９の態様］電力増幅器；帯域外電力計算部；及び先行歪ませ器パラメータ更新部；を有し、前記電力増幅器は、前記先行歪ませ器により先行歪ませを実行された信号を増幅し、前記帯域外電力計算部は、前記電力増幅器から帰還された前記の増幅された信号の帯域外電力を決定し、前記先行歪ませ器パラメータ更新部は、前記帯域外電力に従って前記先行歪ませ器のパラメータを更新する、ことを特徴とする第８の態様に記載の先行歪ませシステム。
【００２０】
［第１０の態様］入力信号の係数を決定する段階；前記入力信号の係数値に従って所定の基本ルックアップ・テーブルを探索し、基本ルックアップ・テーブル値を得る段階；前記入力信号の係数値に従って所定のオフセット・ルックアップ・テーブルを探索し、オフセット・ルックアップ・テーブル値を得る段階；前記入力信号の係数値に従って補間係数を生成する段階；前記オフセット・ルックアップ・テーブル値を前記補間係数で乗算する段階；及び該乗算する段階により得られた結果を前記基本ルックアップ・テーブル値に加算し、先行歪ませ値を得る段階；を有する先行歪ませ方法。
【００２１】
本発明の実施形態によるデジタル・ベースバンド先行歪ませ装置及び方法は、帰還される電力増幅された出力信号に対して帯域外電力検出を実行し、先行歪ませ器の適応更新を実行するためにスカラ情報を用いる。先行歪ませ器は、振幅及び位相先行歪ませを入力情報源信号に対して実行し、電力増幅へ入力されるべき先行歪ませ信号を生成する。  先行歪ませ器は、電力増幅をオフラインで２つの極端な条件下で試験し、計算して、基本振幅位相ルックアップ・テーブル及びオフセット振幅位相ルックアップ・テーブルを得て、入力信号の係数値に従ってルックアップ・テーブル指標値を得て、必須ルックアップ・テーブル指標値における補間係数を補完することにより各ルックアップ・テーブル指標値における補間係数を得る。このように、異なるルックアップ・テーブル指標値に対応する異なる補間係数値が存在する。ルックアップ・テーブル先行歪ませ器のパラメータは、まさに、前述の必須ルックアップ・テーブル指標値及び必須ルックアップ・テーブル指標値に対応する補間係数値である。適応更新の処理中、電力増幅された出力信号の帯域外電力は、先行歪ませ器のこれらのパラメータ値を更新することにより低減される。従来の方法とは対照的に、本発明の実施形態による先行歪ませ器及び先行歪ませ方法によると、電力増幅熱モデル及び電力増幅温度の如何なる計算も必要ない。また、２つのルックアップ・テーブルの柔軟な補間がより効率的に達成される。
【図面の簡単な説明】
【００２２】
本発明の実施形態又は従来の解決策の技術的解決策を明確にするために、実施形態又は従来技術の説明に用いられる添付の図面は次の通りである。以下の図面は単に本発明の特定の実施形態を示すだけであり、これらの図面に基づき他の図面を得るために当業者の如何なる創作的努力も必要ない。
【図１】従来の方法を用いる電力増幅装置の原理を説明するブロック図である。
【図２】本発明の一実施形態による先行歪ませ器の構造を示すブロック図の例である。
【図３】図２の補間係数生成部の詳細図である。
【図４】本発明の特定の実施形態を示す。
【図５】本発明の一実施形態による先行歪ませ処理方法を示すフローチャートである。
【図６】本発明の先行歪ませシステムの動作を示すフローチャートである。
【発明を実施するための形態】
【００２３】
本発明の実施形態は、添付の図面を参照して以下に詳細に説明される。本発明の説明を明確且つ正確にするために、本願明細書は、本発明を不明瞭にさせうる良く知られた構成部分の説明を省略する。更に、同一又は同様の構成部分は、同一の参照符号により示され、重複した説明を省略する。
【００２４】
最初に、本発明の実施形態では、図１に示されるルックアップ・テーブル先行歪ませ器１０２を置き換えることが可能な先行歪ませ器が設けられる。
【００２５】
図２は、本発明の一実施形態による先行歪ませ器の構造を示すブロック図の例である。図２に示されるように、本発明の一実施形態による先行歪ませ器１０２’は、係数値計算部２０１と、基本振幅探索部２０２、オフセット振幅探索部２０３、振幅補間係数生成部２０５、乗算部２０４及び加算部２０６を有する振幅先行歪ませ部と、基本位相探索部２０７、オフセット位相探索部２０８、位相補間係数生成部２１０、乗算部２０９及び加算部２１１を有する位相先行歪ませ部とを有する。振幅先行歪ませ部及び位相先行歪ませ部は構造が同じなので、以下の説明では振幅先行歪ませ部を例として説明する。オフライン動作が最初に実行され、それにより電力増幅特性が２つの極端な環境下（例えば、電力増幅器が動作しうる最高温度及び最低温度、電力増幅器のエイジングの前後等である）で試験される。また、２つの極端な環境下で振幅先行歪ませルックアップ・テーブルを得るために逆の方法が実行される。多くの伝統的な方法が、電力増幅器の特性の逆解法により先行歪ませルックアップ・テーブルを生成するために、処理の中で利用される。単純な方法は、非特許文献１に記載されているように、被試験電力増幅器の特性の入力／出力関係を直接に交換することである。１つの振幅先行歪ませルックアップ・テーブルが選択され、基本振幅ルックアップ・テーブルとして機能する。また、他の振幅先行歪ませルックアップ・テーブルと基本振幅ルックアップ・テーブルとの差分から形成されたオフセット・テーブルは、オフセット振幅ルックアップ・テーブルとして機能する。これまでにオフライン動作が完了する。オンライン動作中、係数値計算部２０１は情報源１０１から入力された情報源信号の係数、つまり入力複合信号の振幅値を計算する。係数値計算部２０１により計算された入力情報源信号の係数値に基づき、基本振幅探索部２０２及びオフセット振幅探索部２０３は、係数値に対応する基本振幅ルックアップ・テーブル及びオフセット振幅ルックアップ・テーブルの出力を探索し、基本振幅ルックアップ・テーブル値及びオフセット振幅ルックアップ・テーブル値を得る。オフセット振幅探索部２０３は、振幅ルックアップ・テーブル指標値ｋを更に得る。
【００２６】
基本振幅ルックアップ・テーブル及びオフセット振幅ルックアップ・テーブルは、オフラインで試験され、前述の方法に従って計算され得られる。２つのルックアップ・テーブルは同一の容量を有し、ルックアップ・テーブルの長さは本願明細書ではＬとして定められる。従って、振幅ルックアップ・テーブル指標値（ｋとして表される）の評価範囲は、１乃至Ｌである。
【００２７】
基本振幅ルックアップ・テーブルの構造は、例えば、次の表に示される。
【００２８】
【表１】
2010268468.tif 000003
オフセット振幅ルックアップ・テーブルの構造は、例えば、次の表に示される。
【００２９】
【表２】
2010268468.tif 000004
留意すべきことに、以上では振幅ルックアップ・テーブル指標はオフセット振幅ルックアップ・テーブル内のフィールド及びセットとして、及びオフセット振幅探索部２０３は振幅ルックアップ・テーブル指標値取得部として機能するとして説明したが、振幅ルックアップ・テーブル指標を基本振幅ルックアップ・テーブル内に設定することも可能である。或いは、振幅ルックアップ・テーブル指標は、入力信号の振幅値と共に別個のテーブル内に設定されてもよい。
【００３０】
振幅ルックアップ・テーブル指標が基本振幅ルックアップ・テーブル内のフィールド及びセットである場合、基本振幅探索部２０２は、振幅ルックアップ・テーブル指標を振幅補間係数生成部２０５へ転送することが可能である。この場合、基本振幅探索部２０２は、本発明の実施形態に従って振幅ルックアップ・テーブル指標値取得部として機能する。
【００３１】
振幅ルックアップ・テーブル指標が入力信号の振幅値と共に別個のテーブル内のフィールド及びセットである場合、別個の振幅ルックアップ・テーブル指標値取得部は、振幅ルックアップ・テーブル指標を振幅補間係数生成部２０５へ転送するために用いられてよい。
【００３２】
更に、振幅補間係数生成部２０５は、係数値計算部２０１により計算された入力情報源信号の係数値に基づき、振幅ルックアップ・テーブル指標を得て、対応する振幅補間係数を計算することが可能である。要するに、振幅ルックアップ・テーブル指標値取得部は、位置について比較的自由であり、設置される場所に拘わらず振幅補間係数生成部２０５の一部と考えられてよい。
【００３３】
振幅補間係数生成部２０５は、振幅ルックアップ・テーブル指標値に基づき、対応する振幅補間係数を計算する。図２の振幅補間係数生成部２０５は、図３を参照して以下に詳細に説明される。
【００３４】
図３に示されるように、本発明の一実施形態による振幅補間係数生成部２０５は、振幅ルックアップ・テーブル指標値取得部３０３を有する。振幅ルックアップ・テーブル指標値取得部３０３は、上述のようにオフセット振幅探索部２０３又は基本振幅探索部２０２の何れかとして実施されてよい。振幅補間係数生成部２０５は、先行歪ませパラメータ格納部３０２及び補間器３０１を更に有する。先行歪ませパラメータ格納部３０２は、必須振幅ルックアップ・テーブル指標値及び必須振幅補間係数を格納する。補間器３０１は、ルックアップ・テーブル指標値、必須ルックアップ・テーブル指標値及び必須補間係数に従って補間係数値を得る補間係数取得部である。
【００３５】
本発明の実施形態では、異なるルックアップ・テーブル指標値に対応するために異なる補間係数が用いられる。補間係数は、補間の方法により得られる。振幅補間の生成は以下に詳細に説明される。Ｎ個の必須振幅ルックアップ・テーブル指標値が、予め選択され、それぞれｋ１，ｋ２，・・・，ｋｎと表される。また、対応する必須振幅補間係数はそれぞれα１，α２，・・・，αｎと表される。これらのパラメータは、ルックアップ・テーブル先行歪ませ器１０２の振幅先行歪ませパラメータとして機能する。これらの必須振幅ルックアップ・テーブル指標値及び必須振幅補間係数は、先行歪ませパラメータ格納部３０２に関連して格納されてよい。先行歪ませパラメータ格納部は、レジスタ又は格納されたデータを再書き込み可能な如何なる他の格納手段であってもよい。
【００３６】
補間器３０１は、補間計算を実行し、現在の振幅ルックアップ・テーブル指標値ｋに従って必須振幅補間係数α１，α２，・・・，αｎの補間を実行し、現在の振幅補間係数値αを計算する。補間器３０１により補間アルゴリズムは、区分的に線形な補間及びラグランジュ補間等のような多くの方法を含む。区分的に線形な補間方法は、振幅補間係数値の生成を説明するために以下に例として用いられる。
【００３７】
現在の振幅ルックアップ・テーブル指標値ｋがｋｉ≦ｋ＜ｋｉ＋１、ｉ＝１，２，・・・，ｎ−１を満たす場合、対応する現在の振幅補間係数値αは次のように計算される。
【００３８】
【数１】
2010268468.tif 000005
再び図２を参照する。乗算部２０４は、オフセット振幅ルックアップ・テーブル値を振幅補間係数で乗算し、重み付けされたオフセット振幅ルックアップ・テーブル値を得る。加算部２０６は、基本振幅ルックアップ・テーブル値を重み付けされたオフセット振幅ルックアップ・テーブル値に加算し、振幅先行歪ませ値を得る。
【００３９】
位相先行歪ませ値の生成は、上述の処理と実質的に同一である。添付の図面及び上述の説明を参照することにより、当業者は位相先行歪ませ値をうる方法を知ることができる。従って、本願明細書では説明を繰り返さない。更に、図２は本発明による振幅先行歪ませ部及び本発明による位相先行歪ませ部を同時に示しているが、当業者は、振幅先行歪ませ部及び位相先行歪ませ部の一方のみが本発明の実施形態による技術的解決法を利用することが可能であることを理解するだろう。
【００４０】
図４は、図２に示された振幅先行歪ませ部の特定の実施形態を示す。図４に示されるように、基本振幅ルックアップ・テーブル４０２及びオフセット振幅ルックアップ・テーブル４０３は、オフラインで試験され前述の方法に従って計算されることにより得られる。２つのルックアップ・テーブルは同一の容量を有し、ルックアップ・テーブルの長さは本願明細書ではＬとして定められる。従って、振幅ルックアップ・テーブル指標値（ｋとして表される）の評価範囲は、１乃至Ｌである（図４に示されている）。情報源１０１から入力された情報源信号は、最初に係数の計算のために係数計算部４０１に入力され、入力信号の係数値が得られる。係数値計算部４０１は図２の係数計算部２０１に対応する。以下では、基本振幅探索部２０２及びオフセット振幅探索部２０３は、基本振幅ルックアップ・テーブル４０２及びオフセット振幅ルックアップ・テーブル４０３を探索し、入力信号の係数値に対応する振幅ルックアップ・テーブル指標値ｋ、基本振幅ルックアップ・テーブル値及びオフセット振幅ルックアップ・テーブル値を得る。図２の乗算部２０４に対応する乗算部４０４は、得られたオフセット振幅ルックアップ・テーブル値を対応する振幅ルックアップ・テーブル指標値における振幅補間係数で乗算し、重み付けされたオフセット振幅ルックアップ・テーブル値を得る。図２の加算部２０６に対応する加算器４０６は、得られた基本振幅ルックアップ・テーブル値を重み付けされたオフセット振幅ルックアップ・テーブル値に加算し、振幅先行歪ませ値を得る。図４の残りの部分は、図２の振幅補間係数生成部２０５（特に補間器３０１）に対応する。図３の振幅補間係数生成部２０５の特定の実装として、図４に示されるように、ルックアップ・テーブル振幅先行歪ませパラメータは次のように選択される。３個の必須振幅ルックアップ・テーブル指標値が選択され、１、ｋ２及びＬと表される（図４のオフセット振幅ルックアップ・テーブル４０３に示される）。また、図４の対応する振幅補間係数はそれぞれα１、α２及びα３である。補間器３０１は区分的に線形な補間方法を用いる。従って、必須振幅ルックアップ・テーブル指標値ｋ２は、振幅補間係数を２つの区分（セグメント）に分ける。現在の振幅ルックアップ・テーブル指標値ｋが１≦ｋ≦ｋ２の範囲であるとき（図４の乗算器４１１が配置された枝に対応する）、現在の振幅補間係数は次のように計算される。
【００４１】
【数２】
2010268468.tif 000006
現在の振幅ルックアップ・テーブル指標値ｋの範囲が選択ｋ２＋１≦ｋ≦Ｌであるとき（図４の乗算器４１５が配置された枝に対応する）、現在の振幅補間係数は次のように計算される。
【００４２】
【数３】
2010268468.tif 000007
従って、パラメータα１、α２、α３及び必須振幅ルックアップ・テーブル指標値ｋ２が決定される環境下で、ランダムな振幅ルックアップ・テーブル指標値における振幅補間係数が計算されうる。
【００４３】
オンライン動作中、基本振幅ルックアップ・テーブル及びオフセット振幅ルックアップ・テーブルを探索するのと同時に、対応する現在の振幅ルックアップ・テーブル指標値ｋはセレクタ４０５及び決定部４１４へ転送される。決定部は、現在の指標値ｋと必須振幅ルックアップ・テーブル指標値ｋ２との間の関係に従って、乗算器４１１が配置された枝及び乗算器４１５が配置された枝から、現在の振幅補間係数の計算を実行するために用いられるべき枝を決定する。また、セレクタ４０５は対応する枝の計算結果を乗算器４０４へ出力する。
【００４４】
例えば、図４に示されるｋ＞ｋ２の場合、決定部４１４は、乗算器４１５が配置された枝が現在の振幅補間係数を計算するために用いられるべきかを決定する。一方で、セレクタ４０５は、対応する枝の計算結果を乗算器４０４に出力する。
【００４５】
以上に振幅先行歪ませ部が説明された。位相先行歪ませ部の構造及び演算処理は両方とも上述のものと同じである。従って、ルックアップ・テーブル先行歪ませ器は、全部で８個の更新可能なパラメータ、つまり振幅先行歪ませ部の４個のパラメータ：α１、α２、α３と、必須振幅ルックアップ・テーブル指標値ｋ２と、対応する位相先行歪ませ部の４個のパラメータとを有する。
【００４６】
留意すべきことに、図４の振幅先行歪ませ部は事実上単なる例であり、当業者は本発明の実施形態に基づき補間計算を実行するための種々の異なる技術的解決策を考案しうる。例えば、更なる必須振幅ルックアップ・テーブル指標値が存在してもよく、ラグランジュ保管方法が用いられてもよい。また、振幅補間係数生成部２０５を実施するための特定の回路は図４に示されたものに限定されず、当業者が考案しうる補間計算用の種々の回路が用いられてもよい。補間係数の生成を複数の区分へ分割すること及びその補間は、更に高い先行歪ませの柔軟性を達成しうる。
【００４７】
図５は、本発明の一実施形態による先行歪ませ処理方法を示すフローチャートである。振幅及び位相先行歪ませは同時に実行され、２つのフローは同一なので、これらの処理は図５に纏めて示される。図５に示されるように、最初に、段階５０１で、入力情報源信号の係数値が計算される。次に、段階５０２で、基本ルックアップ・テーブルが探索され、基本ルックアップ・テーブル値が得られる。同時に、段階５０３で、オフセット・ルックアップ・テーブル値が得られ、段階５０４で、補間係数の計算が完了する。その後、段階５０５で、オフセット・ルックアップ・テーブル値は、補間係数で乗算される。最後に、段階５０６で、段階５０５で得られた乗算結果が基本ルックアップ・テーブル値に加算され、それにより先行歪ませ値が得られる。
【００４８】
図６は、本発明の先行歪ませシステムの動作フローを示す。フローは、２段階に分割できる。つまり、オフライン処理段階とオンライン処理段階である。オフライン処理段階では、段階６０１で、試験及び逆解法計算により基本振幅ルックアップ・テーブル及びオフセット振幅ルックアップ・テーブルが最初に得られる。次に段階６０２で、先行歪ませパラメータが初期化される。オフライン処理が完了すると、処理はオンライン処理段階へ進む。段階６０３で、先行歪ませパラメータが初期化され、入力信号は図５に示すように先行歪ませを行われる。電力増幅器１０６の出力信号は、ダウンコンバータ１０７を介してアナログ−デジタル変換器１０８へ帰還される。次に、段階６０４で、アナログ−デジタル変換器１０８から出力された帯域外電力が計算される。段階６０５で、帯域外電力は閾値と比較され、要件が満たされているか否かが決定される。要件が満たされている場合、処理は段階６０３へ戻り、現在の先行歪ませパラメータを用いて、信号に対して先行歪ませ計算が実行され続ける。他方で、段階６０５で要件が満たされないと決定された場合には、段階６０６で先行歪ませパラメータが更新される。パラメータの更新は、座標交代方法又はパターン検索方法のような伝統的な適応型アルゴリズムにより実行できる。更新の処理中、振幅先行歪ませパラメータ及び位相先行歪ませパラメータは、最適な先行歪ませパラメータが得られるまで交互に更新される。
【００４９】
更に、帯域内信号及び帯域外電力の間の比のような関数が用いられるので、最適化された目標は、電力増幅された出力信号の帯域外電力に限られない。
【００５０】
更に、上述の説明は例えば通信システム内の送信機を例に説明したが、本発明の実施形態は、信号先行歪ませと共に実行されるべき如何なる電力増幅関連回路にも適用可能である。
【００５１】
当業者に明らかなように、本願明細書に開示された実施形態を参照して記載された例である種々の部分及び方法の段階は、ハードウェア、ソフトウェア、又はハードウェアとソフトウェアとの組み合わせにより実施されてもよい。機能がハードウェアとソフトウェアのどちらにより実行されるべきかは、技術的解決策特定の用途及び設計の制約条件によって決定される。当業者は、上述の機能を実現するために特定の用途のそれぞれに関して異なる方法を用いてもよい。また、このような実現は本発明の範囲外であると考えられるべきではない。
【００５２】
本願明細書に開示された実施形態を参照して説明した方法又はアルゴリズムの段階は、ハードウェア（コンピュータのような論理装置）により実行されるソフトウェアにより実施されてもよい。実行されると、ソフトウェアは、ハードウェア（コンピュータのような論理装置）に前述の方法又はそれら方法の有する段階を実現させ、又はハードウェア（コンピュータのような論理装置）に本発明の前述の装置のように機能させる。
【００５３】
ソフトウェアは、ランダム・アクセス・メモリ（ＲＡＭ）、主記憶、読み出し専用メモリ（ＲＯＭ）、電気的プログラマブルＲＯＭ、電気的消去可能なプログラマブルＲＯＭ、レジスタ、ハードディスク、携帯型磁気ディスク、ＣＤ−ＲＯＭ又は当業者に知られている形式の如何なる他の記憶媒体内に構築されてもよい。
【００５４】
上述の実施形態は全て事実上例であり、本発明を限定するものではない。当業者は、本発明の原理の範囲内で種々の変形及び修正をなし得るだろう。また、これら全ての変形及び修正は本発明の範囲に包含される。
【符号の説明】
【００５５】
１０１  情報源
１０２  ルックアップ・テーブル先行歪ませ器
１０４  デジタル−アナログ変換器
１０５  アップコンバータ
１０６  電力増幅器
１０７  ダウンコンバータ
１０８  アナログ−デジタル変換器
１０９  帯域外電力計算
１１０  先行歪ませパラメータ更新
１０２’  ルックアップ・テーブル先行歪ませ器
２０１  係数値計算部
２０２  基本振幅探索部
２０３  オフセット振幅探索部
２０４  乗算部
２０５  振幅補間係数生成部
２０６  加算部
２０７  基本位相探索部
２０８  オフセット位相探索部
２０９  乗算部
２１０  位相補間係数生成部
２１１  加算部
４０５  セレクタ
【図１】
2010268468.tif 000008
【図２】
2010268468.tif 000009
【図３】
2010268468.tif 000010
【図４】
2010268468.tif 000011
【図５】
2010268468.tif 000012
【図６】
2010268468.tif 000013